(57)【要約】【課題】中波デジタル処理型送信機内部に多段接続された複数台の電力増幅器（ＰＡ）のうちの一台のＰＡの故障を高確度に判定する故障検出装置を提供する。【解決手段】絶対値回路１１０、ＢＰＦ１２０及びコンパレータ１３０が、送信機出力の波形の傷部分を検出し、ＡＮＤゲート１５０−１〜１５０−ｎが、当該傷部分の信号とＰＡ５−１〜５−ｎの駆動信号との間でそれぞれ論理積の演算を行い、ＰＡ５の故障を検出したものと判定するようにした。【選択図】図７
2007067649.tif 000002
【特許請求の範囲】
【請求項１】
搬送波レベル相当の直流成分が加算された音声信号をアナログ信号からデジタル信号に変換するＡ／Ｄ変換器と、該デジタル信号を電力増幅器毎の駆動信号に変換するエンコーダと、該駆動信号により電力を増幅する複数の電力増幅器と、該増幅された複数の信号を合成して被変調波信号を生成し該被変調波信号を出力する合成器とを備えた中波デジタル処理型送信機の故障を検出する装置において、
前記被変調波信号の波形歪みを検出し、波形歪み検出信号として出力する波形歪み検出手段と、
前記エンコーダにより変換された電力増幅器毎の駆動信号と、波形歪み検出手段により出力された波形歪み検出信号とが同じタイミングで存在するかどうかで、複数の電力増幅器の中から、故障した電力増幅器を特定する故障特定手段と、を備えたことを特徴とする故障検出装置。
【請求項２】
請求項１に記載の故障検出装置において、
さらに、前記音声信号をアナログ信号からデジタル信号に変換する故障検出用Ａ／Ｄ変換器と、該デジタル信号を電力増幅器毎の駆動信号に変換する故障検出用エンコーダとを備え、
前記故障特定手段は、前記エンコーダにより変換された電力増幅器毎の駆動信号に代わる故障検出用エンコーダにより変換された電力増幅器毎の駆動信号と、波形歪み検出手段により出力された波形歪み検出信号とが同じタイミングで存在するかどうかで、複数の電力増幅器の中から、故障した電力増幅器を特定することを特徴とする故障検出装置。
【請求項３】
請求項１または２に記載の故障検出装置において、
前記故障特定手段は、請求項１のエンコーダまたは請求項２の故障検出用エンコーダにより変換された電力増幅器毎の駆動信号を入力し、該駆動信号に対して、前記電力増幅器及び合成器並びに波形歪み検出手段の処理による遅延を付加する遅延手段を備えた故障検出装置。
【発明の詳細な説明】
【技術分野】
【０００１】
本発明は、中波放送のための送信技術に関し、特に、中波放送用のデジタル処理型送信機（以下、中波デジタル処理型送信機という。）の故障を検出する技術に関する。
【背景技術】
【０００２】
まず、中波デジタル処理型送信機の動作原理について、図１を参照して説明する。この中波デジタル処理型送信機１は、加算器２、Ａ／Ｄ変換器３、エンコーダ４、ｎ台の電力増幅器（以下、ＰＡという。）５−１〜５−ｎ、ｎ台の高周波トランス６−１〜６−ｎ、中心導体７、及びバンドパスフィルタ（以下、ＢＰＦという。）８を備えている。
【０００３】
加算器２は、音声信号及び搬送波レベル相当のＤＣ成分の信号を入力し、当該音声信号にＤＣ成分の信号を加算する。Ａ／Ｄ変換器３は、加算器２により加算された信号を入力し、アナログ信号をデジタル信号に変換する。エンコーダ４は、Ａ／Ｄ変換器３により変換されたデジタル信号を入力し、当該信号をＰＡ駆動信号（ＰＡ５−１〜５−ｎを起動させるための命令として用いる信号）に変換する。ＰＡ５−１〜５−ｎは、エンコーダ４により変換されたＰＡ駆動信号をそれぞれ入力し、搬送波の電力増幅を行う。このＰＡ５−１〜５−ｎは、高出力の搬送波増幅器である。高周波トランス６−１〜６−ｎは、ＰＡ５−１〜５−ｎにより電力増幅された信号をそれぞれ入力し、全ての高周波トランス６−１〜６−ｎを貫通するように構成された２次巻き線に相当する中心導体７に信号を導く。ＢＰＦ８は、高周波トランス６を介して中心導体７に導かれた信号を入力し、高調波成分を除去し、被変調波信号を出力する。このＢＰＦ８により出力される被変調波信号が、中波デジタル処理型送信機１の出力、すなわち送信機出力となる。
【０００４】
ここで、ＰＡ５−１〜５−ｎは、エンコーダ４により変換されたＰＡ駆動信号を入力して動作するため、ＰＡ５−１〜５−ｎの動作台数は、エンコーダ４の出力であるＰＡ駆動信号により制御される。したがって、送信機出力は、音声信号に対応した振幅変調波となり得る。
【０００５】
次に、図１に示した中波デジタル処理型送信機１に備えたＰＡ５の故障検出の原理について説明する。図２は、従来のＰＡ故障検出の原理（１）を説明する構成図である。図２において、音声自動モニター１０は、中波デジタル処理型送信機１、復調器１１、及び比較器１２を備えている。
【０００６】
中波デジタル処理型送信機１は、図１に示した中波デジタル処理型送信機１に相当する。中波デジタル処理型送信機１は、前述したように、音声信号を入力し、被変調波信号を送信機出力としてアンテナ１３を介して出力する。復調器１１は、中波デジタル処理型送信機１により出力された送信機出力を入力し、復調処理を施す。比較器１２は、前記音声信号、及び復調器１１から復調信号を入力し、両信号の間でレベル比較を行う。そして、レベル比較した結果、両信号のレベルの差が予め設定された値以上の場合は、故障を検出したものと判定し、故障検出信号を出力する。
【０００７】
図３は、従来のＰＡ故障検出の原理（２）を説明する構成図である。このＰＡ５は、図１に示したＰＡ５−１〜５−ｎのうちのいずれか一台のＰＡに相当する。ＰＡ５は、ブリッジ接続された４個のＦＥＴ２１−１〜２１−４、当該ＦＥＴ２１−１，２１−２の＋ＤＣ電源側に挿入されたヒューズ２２、中波の送信周波数のＲＦ信号を入力してＦＥＴ２１−１，２１−３に出力するトランス２３−１、同様のＲＦ信号を入力してＦＥＴ２１−２，２１−４に出力するトランス２３−２、及び、図１に示したエンコーダ４からＰＡ駆動信号を入力し、当該ＰＡ５を動作させるためのＰＡ起動命令用のＦＥＴ２４を備えている。
【０００８】
ここで、ＦＥＴ２１−１〜２１−４がショートモードで故障すると、過大なドレイン電流が＋ＤＣ電源から図３の中央下部に示したＧＮＤへ流れ、ヒューズ２２は溶断する。図示しない故障検出回路は、ヒューズ２２の溶断を検出し、当該ＰＡ５の故障を検出したものと判定し、故障検出信号を出力する。
【０００９】
また、特許文献１には、中波デジタル処理型送信機の故障を検出する手段を備えた送信機が開示されている。これは、送信機出力から合成装置出力の間のミスマッチングや部品不良等の事故に起因する故障を検出し、送信機を適切に保護するものである。
【００１０】
【特許文献１】特開平８−８７６６号公報
【発明の開示】
【発明が解決しようとする課題】
【００１１】
図２に示した音声自動モニター１０において、比較器１２に対する比較条件が厳しく設定された場合には、比較器１２は確実に故障を検出することができず、音声自動モニター１０が誤動作する可能性がある。このため、一般的には、中波デジタル処理型送信機１の送信機出力が１／２に低下した場合に故障を検出できるように、比較条件が設定される。
【００１２】
しかしながら、中波デジタル処理型送信機１において、多段接続されたＰＡ５の一部が故障した場合には、送信機出力の低下が軽微であるため、比較器１２はその故障を検出することができない。このように、音声自動モニター１０では、中波デジタル処理型送信機１の故障を確実に検出することができないという問題があった。
【００１３】
また、図３に示したＰＡ５において、ＦＥＴ２１がショートモードで故障した場合はヒューズ２２が溶断するため、ヒューズ２２の溶断を検出することによりＰＡ５の故障を検出することができる。しかしながら、ＦＥＴ２１がオープンモードで故障した場合はヒューズ２２が溶断しないため、故障を検出することができない。さらに、ＰＡ起動命令用のＦＥＴ２４が故障した場合も故障を検出することができない。このように、図３に示したヒューズ２２の溶断を検出する手法においても、ＰＡ５の故障を確実に検出することができないという問題があった。
【００１４】
本発明は、かかる問題を解決するためになされたものであり、その目的は、中波デジタル処理型送信機内部に多段接続された複数台のＰＡのうちの一台のＰＡの故障を高確度に判定し、かつ、ＰＡ内部のＦＥＴがショートモードで故障した場合に加えてオープンモードで故障した場合であっても、さらに、ＰＡ起動命令用のＦＥＴが故障した場合であっても、故障したＰＡを確実に特定することが可能な故障検出装置を提供することにある。
【００１５】
図４〜６は、図１に示した中波デジタル処理型送信機１のＰＡが１２台（ＰＡ５−１〜５−１２）で構成された場合の送信機出力の波形を示す図である。図４は、正常時における中波デジタル処理型送信機１の出力波形のシミュレーション結果である。図４において、縦軸は出力波形の電圧値、横軸は時間を示す。ｉは時間軸におけるサンプリング番号を、Ｅｒｆｉはサンプリング番号ｉにおける電圧値を示す。尚、Ｎを時間軸における最大時間（Ｎ＝２13＝８１９２）とすると、ｉ及びｎは、次式（１）のｔ部分に相当する。
ｓｉｎ（ω×ｔ）＝ｓｉｎ（ω×ｉ／Ｎ）      ・・・  （１）
図４において、中波放送は振幅変調方式を用いる放送メディアであるから、出力波形は滑らかな包絡線を有することがわかる。
【００１６】
図５及び図６は、中波デジタル処理型送信機１に備えたＰＡの故障発生時における出力波形である。図５は、図１に示したＰＡ５−２に故障が発生し、ＰＡ５−２にＰＡ駆動信号が入力されているにもかかわらず、ＰＡ５−２が不動作である場合の出力波形である。また、図６は、図５と同様にＰＡ５−２に故障が発生し、ＰＡ５−２にＰＡ駆動信号が入力されていないにもかかわらず、ＰＡ５−２が不停止である場合の出力波形である。図５ではＰＡ５−２に不動作の故障が発生しており、図６ではＰＡ５−２に不停止の故障が発生しているため、正常に送信機出力がなされておらず、その波形には鋭利な傷（出力波形の振幅が急に変化する箇所）が存在する。つまり、出力波形における包絡線において、ＰＡ５−２の故障に起因して、当該ＰＡ５−２に対するＰＡ駆動信号に対応する時間位置に、鋭利な傷が発生していることがわかる。この鋭利な傷は、ＰＡ５−２に対応したビット落ちに起因するのこぎり波状の波形歪み（ビット落ち波形）である。
【００１７】
そこで、本発明は、出力波形における鋭利な傷を検出し、当該傷に相当する信号と各ＰＡに入力される駆動信号とに基づいて、故障が発生したＰＡを特定することを特徴とするものである。
【課題を解決するための手段】
【００１８】
本発明による故障検出装置は、搬送波レベル相当の直流成分が加算された音声信号をアナログ信号からデジタル信号に変換するＡ／Ｄ変換器と、該デジタル信号を電力増幅器毎の駆動信号に変換するエンコーダと、該駆動信号により電力を増幅する複数の電力増幅器と、該増幅された複数の信号を合成して被変調波信号を生成し該被変調波信号を出力する合成器とを備えた中波デジタル処理型送信機の故障を検出する装置において、前記被変調波信号の波形歪みを検出し、波形歪み検出信号として出力する波形歪み検出手段と、前記エンコーダにより変換された電力増幅器毎の駆動信号と、波形歪み検出手段により出力された波形歪み検出信号とが同じタイミングで存在するかどうかで、複数の電力増幅器の中から、故障した電力増幅器を特定する故障特定手段とを備えたことを特徴とする。
【００１９】
また、本発明による故障検出装置は、さらに、前記音声信号をアナログ信号からデジタル信号に変換する故障検出用Ａ／Ｄ変換器と、該デジタル信号を電力増幅器毎の駆動信号に変換する故障検出用エンコーダとを備え、前記故障特定手段は、前記エンコーダにより変換された電力増幅器毎の駆動信号に代わる故障検出用エンコーダにより変換された電力増幅器毎の駆動信号と、波形歪み検出手段により出力された波形歪み検出信号とが同じタイミングで存在するかどうかで、複数の電力増幅器の中から、故障した電力増幅器を特定することを特徴とする。
【００２０】
また、本発明による故障検出装置は、前記故障特定手段が、前記エンコーダまたは故障検出用エンコーダにより変換された電力増幅器毎の駆動信号を入力し、該駆動信号に対して、前記電力増幅器及び合成器並びに波形歪み検出手段の処理による遅延を付加する遅延手段を備えたことを特徴とする。
【発明の効果】
【００２１】
一般に、電力増幅器内部のＦＥＴがショートモードで故障した場合に加えてオープンモードで故障した場合であっても、さらに、電力増幅器起動命令用のＦＥＴが故障した場合であっても、このような故障に起因して、送信機出力である被変調波信号に歪みが生じる。本発明によれば、この歪みを検出し、当該歪み信号と電力増幅器毎の駆動信号とに基づいて、故障した電力増幅器を特定するようにしたから、複数台の電力増幅器のうちの一台の電力増幅器の故障を高確度に判定することができ、また、故障した電力増幅器を確実に特定することができる。
【発明を実施するための最良の形態】
【００２２】
以下、本発明の実施の形態について図面を用いて詳細に説明する。本発明は、ＰＡ５−１〜５−ｎの故障発生に起因した送信機出力の波形の傷部分に着目し、その傷部分とＰＡ駆動信号との関係により、故障したＰＡを特定するものである。本発明の実施例１は、中波デジタル処理型送信機１の送信機出力の波形から傷部分を取り出し、当該傷部分に対応するＰＡを、故障したＰＡとして特定するものである。また、実施例２は、実施例１に加えて、さらにＡ／Ｄ変換器３及びエンコーダ４の故障を検出するものである。
【実施例１】
【００２３】
まず、実施例１の故障検出装置について説明する。図７は、本発明による実施例１の故障検出装置を示すブロック図である。この故障検出装置１００は、同図上部に示した中波デジタル処理型送信機１におけるＰＡ５の故障を検出する装置である。図７に示す中波デジタル処理型送信機１は、Ａ／Ｄ変換器３、エンコーダ４、ＰＡ５−１〜５−ｎ、及び合成器９を備えており、図１に示した中波デジタル処理型送信機１に相当する。ここでは、図１に示した加算器２は省略してある。合成器９は、図１に示した高周波トランス６、中心導体７及びＢＰＦ８に相当する。尚、中波デジタル処理型送信機１についての説明は省略する。
【００２４】
故障検出装置１００は、絶対値回路１１０、ＢＰＦ１２０、コンパレータ１３０、ｎ個の遅延整形回路１４０−１〜１４０−ｎ、ｎ個のＡＮＤゲート１５０−１〜１５０−ｎ、及びパルス検出回路１６０を備えている。いま、中波デジタル処理型送信機１のＰＡ５−１〜５−ｎの一部（ＰＡ５−２）に故障が発生したものとし、図５または図６に示した送信機出力の波形が、中波デジタル処理型送信機１により出力されるものとする。
【００２５】
故障検出装置１００の絶対値回路１１０は、中波デジタル処理型送信機１の送信機出力を入力し、検波を行う。ＢＰＦ１２０は、絶対値回路１１０により検波された信号を入力し、高周波（キャリア）成分を除去する。ここで、絶対値回路１１０により検波された信号には、包絡線部分の音声成分（１０ｋＨｚ以下）及び高周波成分が含まれている。ＢＰＦ１２０は、この高周波成分を除去することにより、波形の傷部分の周波数成分の信号のみを取り出す。
【００２６】
図８は、図７に示した故障検出装置１００のＢＰＦ１２０の出力波形である。図８において、縦軸はＢＰＦ１２０の出力波形の電圧値、横軸は時間を示す。この横軸は、Ｎ＝２13＝８１９２とした場合の時間軸であり、図５及び図６の時間軸に対応している。このように、ＢＰＦ１２０は、図５及び図６に示した出力波形のうちの傷部分の周波数成分の信号を出力する。
【００２７】
コンパレータ１３０は、ＢＰＦ１２０から傷部分の周波数成分の信号を入力し、当該信号のレベルと予め設定された値のレベルとを比較し、信号レベルが設定値レベル以下の場合は入力した信号を除去し、信号レベルが設定値レベルを超える場合は波形歪み検出信号としてのパルス信号を出力する。
【００２８】
一方、遅延整形回路１４０−１〜１４０−ｎは、中波デジタル処理型送信機１のエンコーダ４により出力されたＰＡ駆動信号をそれぞれ入力し、当該ＰＡ駆動信号に対して、ＰＡ５−１〜５−ｎ、合成器９、絶対値回路１１０、ＢＰＦ１２０及びコンパレータ１３０の処理による遅延時間の相当する遅延を付加し、さらに、入力したＰＡ駆動信号の立ち上がりを検出し、その立ち上がり部分で短時間動作するパルス信号を出力する。例えば、遅延整形回路１４０−２が付加する遅延は、ＰＡ５−２を起動するためのＰＡ駆動信号に対して、ＰＡ５−２、合成器９、絶対値回路１１０、ＢＰＦ１２０及びコンパレータ１３０の処理による遅延時間に相当するものである。
【００２９】
そして、ＡＮＤゲート１５０−１〜１５０−ｎは、コンパレータ１３０により出力された「傷部分が存在するタイミングにおけるパルス信号」すなわち波形歪み検出信号を一方の入力端子にそれぞれ入力し、遅延整形回路１４０−１〜１４０−ｎにより遅延が付加された「各ＰＡに入力されるＰＡ駆動信号におけるパルス信号」を他方の入力端子にそれぞれ入力し、論理積を演算し、演算結果を出力する。この場合、演算結果が“１”の場合は、対応するＰＡの故障を検出したものと判定する。
【００３０】
図５及び図６に示した送信機出力の波形、並びに図８に示したＢＰＦ１２０の出力波形は、ＰＡ５−２に故障が発生している場合の波形である。エンコーダ４は、図５及び図６の波形の傷の位置の時間、並びに図８の波形のインパルス状に振れた位置の時間において、ＰＡ５−２を起動するためのＰＡ駆動信号（図５）または停止するためのＰＡ駆動信号（図６）をＰＡ５−２に出力している。この場合、遅延整形回路１４０−２は、当該ＰＡ駆動信号を入力し、所定の遅延を付加してパルス信号を出力する。尚、起動と停止の駆動信号はパルスが反転しているので、遅延整形回路が立上がりでパルスを出力するとして、起動と停止では発生位置が異なっている。ＡＮＤゲート１５０−２には、コンパレータ１３０からのパルス信号、及び、遅延整形回路１４０−２からのパルス信号が入力される。コンパレータ１３０からのパルス出力は図８に示すように、必ず２個出力される。遅延整形回路１４０−２からの出力は１個であり、起動と停止で発生位置が異なっているが、コンパレータ出力パルス２個のどちらかと同じタイミングで存在する。そして、ＡＮＤゲート１５０−２は、論理積を演算し、演算結果である“１”の信号を出力する。これにより、ＰＡ５−２の故障を検出したものと判定することができる。
【００３１】
一方、エンコーダ４は、図５及び図６の波形の傷の位置の時間、並びに図８の波形のインパルス状に振れた位置の時間において、ＰＡ５−１，５−３〜５−ｎを起動するためのＰＡ駆動信号を出力していない。このため、ＡＮＤゲート１５０−１，１５０−３〜１５０−ｎには、コンパレータ１３０からのパルス信号が入力されるが、遅延整形回路１４０−１，１４０−３〜１４０−ｎからのパルス信号は入力されない。そして、ＡＮＤゲート１５０−１，１５０−３〜１５０−ｎは、論理積の演算結果である“０”の信号を出力する。これにより、ＰＡ５−１，５−３〜５−ｎの故障がないものと判定することができる。
【００３２】
また、故障検出装置１００のパルス検出回路１６０は、中波デジタル処理型送信機１のエンコーダ４により変換して出力されたＰＡ駆動信号をそれぞれ入力し、当該ＰＡ駆動信号の有無を判定する。例えば、一定時間パルスが全く検出されない場合は故障であると判断する。これにより、ＰＡ５の前段に備えた回路の動作状態を確認することができる。
【００３３】
以上のように、本発明の実施例１による故障検出装置１００によれば、絶対値回路１１０、ＢＰＦ１２０及びコンパレータ１３０が、送信機出力の波形の傷部分を検出し、ＡＮＤゲート１５０−１〜１５０−ｎが、当該傷部分の信号とＰＡ５−１〜５−ｎの駆動信号との間でそれぞれ論理積の演算を行い、演算結果が“１”である場合に、ＰＡ５の故障を検出したものと判定するようにした。これにより、複数台のＰＡ５−１〜５−ｎの中から、故障が発生したＰＡを特定するから、一台のＰＡの故障を高確度に判定することが可能となり、ＰＡ内部のＦＥＴがショートモードで故障した場合に加えてオープンモードで故障した場合であっても、さらに、ＰＡ起動命令用のＦＥＴが故障した場合であっても、故障したＰＡを確実に判定することが可能となる。
【実施例２】
【００３４】
次に、実施例２の故障検出装置について説明する。図９は、本発明による実施例２の故障検出装置を示すブロック図である。この故障検出装置２００は、同図上部に示した中波デジタル処理型送信機１におけるＰＡ５の故障に加えて、さらにＰＡ５の前段に備えたＡ／Ｄ変換器３及びエンコーダ４の故障を検出する装置である。図９に示す中波デジタル処理型送信機１は、Ａ／Ｄ変換器３、エンコーダ４、ＰＡ５−１〜５−ｎ、及び合成器９を備えており、図１及び図７に示した中波デジタル処理型送信機１に相当する。尚、中波デジタル処理型送信機１の説明は省略する。
【００３５】
故障検出装置２００は、絶対値回路１１０、ＢＰＦ１２０、コンパレータ１３０、ｎ個の遅延整形回路１４０−１〜１４０−ｎ、ｎ個のＡＮＤゲート１５０−１〜１５０−ｎ、Ａ／Ｄ変換器２１０、及びエンコーダ２２０を備えている。図９に示す故障検出装置２００の絶対値回路１１０、ＢＰＦ１２０、コンパレータ１３０、遅延整形回路１４０−１〜１４０−ｎ、及びＡＮＤゲート１５０−１〜１５０−ｎは、図７に示した故障検出装置１００の各回路と同等の機能を有する。また、Ａ／Ｄ変換器２１０及びエンコーダ２２０も、図１、図７及び図９に示した中波デジタル処理型送信機１のＡ／Ｄ変換器３及びエンコーダ４と同等の機能を有する。いま、実施例１と同様に、中波デジタル処理型送信機１のＰＡの一部（ＰＡ５−２）に故障が発生したものとし、図５または図６に示した送信機出力の波形が、中波デジタル処理型送信機１により出力されるものとする。
【００３６】
故障検出装置２００のＡ／Ｄ変換器２１０は、Ａ／Ｄ変換器３と同様に、音声信号を入力し、アナログ信号をデジタル信号に変換する。エンコーダ２２０は、エンコーダ４と同様に、Ａ／Ｄ変換器２１０により変換されたデジタル信号を入力し、当該信号をＰＡ駆動信号に変換する。
【００３７】
遅延整形回路１４０−１〜１４０−ｎは、実施例１に示したように、エンコーダ２２０により変換して出力されたＰＡ駆動信号をそれぞれ入力し、所定の遅延時間の相当する遅延を付加し、さらに、ＰＡ駆動信号の立ち上がり部分で短時間動作するパルス信号を出力する。
【００３８】
ＡＮＤゲート１５０−１〜ｎは、コンパレータ１３０により出力された「傷部分が存在するタイミングにおけるパルス信号」すなわち波形歪み検出信号を入力し、それと共に、遅延整形回路１４０−１〜ｎにより遅延が付加された「各ＰＡに入力されるＰＡ駆動信号におけるパルス信号」をそれぞれ入力し、論理積を演算し、演算結果を出力する。この場合、演算結果が“１”の場合は、対応するＰＡ、Ａ／Ｄ変換器３及びエンコーダ４のうちの少なくとも一つの故障を検出したものと判定する。
【００３９】
以上のように、本発明の実施例２による故障検出装置２００によれば、故障検出装置２００の内部に、中波デジタル処理型送信機１のＡ／Ｄ変換器３及びエンコーダ４に相当するＡ／Ｄ変換器２１０及びエンコーダ２２０を備え、遅延整形回路１４０−１〜１４０−ｎが、エンコーダ２２０により出力されたＰＡ駆動信号をそれぞれ入力し、絶対値回路１１０、ＢＰＦ１２０及びコンパレータ１３０が、送信機出力の波形の傷部分を検出し、ＡＮＤゲート１５０−１〜１５０−ｎが、当該傷部分の信号と前記ＰＡ駆動信号との間でそれぞれ論理積の演算を行い、演算結果が“１”である場合に、ＰＡ５、Ａ／Ｄ変換器３及びエンコーダ４のうちの少なくとも一つの故障を検出したものと判定するようにした。これにより、実施例１に示した効果に加えて、ＰＡ５の故障だけでなく、ＰＡ５の前段に備えたＡ／Ｄ変換器３及びエンコーダ４の故障の検出も確実に判定することが可能となる。
【００４０】
ところで、図９に示した故障検出装置２００では、ＰＡ５の故障と、その前段に備えたＡ／Ｄ変換器３またはエンコーダ４の故障とを区別することができない。そこで、故障検出装置２００は、図示していないが、さらに、図７に示した故障検出装置１００のパルス検出回路１６０を備えてもよい。このパルス検出回路１６０は、中波デジタル処理型送信機１のエンコーダ４により出力されたＰＡ駆動信号をそれぞれ入力し、当該ＰＡ駆動信号の有無を判定する。そして、図示しない故障判定回路は、パルス検出回路１６０により判定されたＰＡ駆動信号の有無の信号と、ＡＮＤゲート１５０により判定されたＰＡ５等の故障検出信号とを入力し、ＰＡ駆動信号が存在しないときに、ＰＡ５等の故障が検出されている場合は、Ａ／Ｄ変換器３またはエンコーダ４に故障が発生したものと判定し、ＰＡ駆動信号が存在するときに、ＰＡ５等の故障が検出されている場合は、ＰＡ５に故障が発生したものと判定する。これにより、ＰＡ５の故障と、Ａ／Ｄ変換器３またはエンコーダ４の故障とを区別することができる。
【００４１】
以上、実施例を挙げて本発明を説明したが、本発明は上記実施例に限定されるものではなく、その技術思想を逸脱しない範囲で種々変形可能である。例えば、実施例１及び２において、故障検出装置１００及び故障検出装置２００は、中波デジタル処理型送信機1と別個独立した装置である外部ユニットとして設けるようにしたが、これに限定されるものではない。中波デジタル処理型送信機１は、故障検出装置１００及び故障検出装置２００を故障検出回路として、内部に備えるようにしてもよい。
【００４２】
尚、上記の説明においては、絶対値回路１１０、ＢＰＦ１２０、コンパレータ１３０が波形歪み検出手段に該当し、遅延整形回路１４０−１，・・・，１４０−ｎ、ＡＮＤゲート１５０−１，・・・，１５０−ｎが故障特定手段に該当している。
【図面の簡単な説明】
【００４３】
【図１】中波デジタル処理型送信機の動作原理を説明する構成図である。
【図２】従来のＰＡ故障検出の原理（１）を説明する構成図である。
【図３】従来のＰＡ故障検出の原理（２）を説明する構成図である。
【図４】正常時における中波デジタル処理型送信機の出力波形のシミュレーション結果である。
【図５】ＰＡ故障時（２台目のＰＡ不動作時）における中波デジタル処理型送信機の出力波形のシミュレーション結果である。
【図６】ＰＡ故障時（２台目のＰＡ不停止時）における中波デジタル処理型送信機の出力波形のシミュレーション結果である。
【図７】本発明による故障検出装置の第１の実施例を示すブロック図である。
【図８】図７におけるＢＰＦの出力波形である。
【図９】本発明による故障検出装置の第２の実施例を示すブロック図である。
【符号の説明】
【００４４】
１  中波デジタル処理型送信機
２  加算器
３，２１０  Ａ／Ｄ変換器
４，２２０  エンコーダ
５  ＰＡ
６  高周波トランス
７  中心導体
８，１２０  ＢＰＦ
９  合成器
１０  音声自動モニター
１１  復調器
１２  比較器
１３  アンテナ
２１，２４  ＦＥＴ
２２  ヒューズ
２３  トランス
１００，２００  故障検出装置
１１０  絶対値回路
１３０  コンパレータ
１４０  遅延整形回路
１５０  ＡＮＤゲート
１６０  パルス検出回路
【図１】
2007067649.tif 000003
【図２】
2007067649.tif 000004
【図３】
2007067649.tif 000005
【図４】
2007067649.tif 000006
【図５】
2007067649.tif 000007
【図６】
2007067649.tif 000008
【図７】
2007067649.tif 000009
【図８】
2007067649.tif 000010
【図９】
2007067649.tif 000011